【手続補正書】
【提出日】平成27年1月25日(2015.1.25)
【手続補正１】
【補正対象書類名】特許請求の範囲
【補正対象項目名】全文
【補正方法】変更
【補正の内容】
【特許請求の範囲】
【請求項１】
低侵襲性皮膚治療装置であって、
周囲面を画定する周囲立上り部および頂部を有し、当該周囲立上り部および頂部により陥凹部を共同で形成し、前記周囲立上り部および前記頂部の内側部分で前記陥凹部側を向く対向面を形成するハンドピースと、
少なくとも一部が前記周囲立上り部を通って前記陥凹部内へと延びるように構成された切断器具と、
前記ハンドピースに作動的に連結されたガイドトラックであって、当該ガイドトラックと関連する前記切断器具の一部を拘束して、所定経路に沿って動くようにするとともに、前記切断器具の先端部を、前記陥凹部内において、前記ハンドピースの前記頂部とほぼ平行な面内で、且つ前記所定経路によって画定される所定の形状の領域内で協働して動かすようにする、ガイドトラックと、
前記周囲立上り部を貫通する通路であって、前記通路の内側に設けられるとともに前記陥凹部に面する挿入口を有し、前記器具の先端部が前記通路を通って前記陥凹部内に進入しているときに、前記挿入口が、前記器具の回動支点となることで、前記切断器具の先端が前記陥凹部内で側方向に左右に動作する、通路と、
を備えた低侵襲性皮膚治療装置。
【請求項２】
請求項１の低侵襲性皮膚治療装置において、
前記ガイドトラックを有し、前記ハンドピースに作動的に連結されたプラットフォームと、
前記器具に作動的に連結されたガイドピンであって、前記器具が前記所定経路に沿って動くように前記ガイドトラックに摺動可能に嵌合するガイドピンと、
をさらに備えている、低侵襲性皮膚治療装置。
【請求項３】
請求項２の低侵襲性皮膚治療装置において、
前記プラットフォームは、前記ハンドピースに固定され、前記ハンドピースの底端部にほぼ直交する、低侵襲性皮膚治療装置。
【請求項４】
請求項２の低侵襲性皮膚治療装置において、
前記ガイドトラックは、前記プラットフォームの頂部に形成された溝を形成する、低侵襲性皮膚治療装置。
【請求項５】
請求項２の低侵襲性皮膚治療装置において、
前記ガイドトラックがアンダーカット部を有するとともに、前記ガイドピンが拡張頭部を有し、前記拡張頭部と前記ガイドトラックの前記アンダーカット部との間の干渉によって、前記ガイドピンが前記所定経路に沿って移動できるようにするとともに、前記拡張頭部が前記ガイドトラックから外れることを防止する、低侵襲性皮膚治療装置。
【請求項６】
請求項１の低侵襲性皮膚治療装置において、
前記切断器具が、
切断ブレードと、
前記切断ブレードに連結され、前記切断ブレードを往復運動させる往復運動モータと、
を備えている、低侵襲性皮膚治療装置。
【請求項７】
請求項６の低侵襲性皮膚治療装置において、
前記切断器具はスリーブをさらに備え、
前記切断ブレードは、少なくとも部分的に摺動可能に前記スリーブ内に配置されている、低侵襲性皮膚治療装置。
【請求項８】
低侵襲性皮膚治療装置であって、
周囲面を形成する周囲立上り部および頂部を有し、当該周囲立上り部および頂部により陥凹部を共同で形成し、前記周囲立上り部および前記頂部の内側部分で前記陥凹部側を向く対向面を形成するハンドピースと、
少なくとも一部が前記周囲立上り部を通って前記陥凹部内へと延びるように構成された切断器具と、
前記ハンドピースに作動的に連結されたガイドトラックであって、当該ガイドトラックと関連する前記切断器具の一部を拘束して、所定経路に沿って動くように構成されるとともに、前記切断器具の先端部を、前記陥凹部内において、前記ハンドピースの前記頂部とほぼ平行な面内で、且つ前記所定経路によって画定される所定の形状の領域内で協働して動かすようにする、ガイドトラックと、
を備え、
前記ハンドピースの頂部は高さ調整が可能であり、調整をすることで、前記ハンドピースの頂部の内側と周囲立上り部の底端部との間の距離、及び陥凹部の容積を変更することができ、
前記ハンドピースはリバーシブル式の蓋を備え、当該リバーシブル式の蓋は、前記陥凹部の容積を調整することができるように、前記ハンドピースから取り外し可能であると同時に、ひっくり返して再び取り付けることができるように構成されている、低侵襲性皮膚治療装置。
【請求項９】
低侵襲性皮膚治療装置であって、
周囲面を形成する周囲立上り部および頂部を有し、当該周囲立上り部および頂部により陥凹部を共同で形成し、前記周囲立上り部および前記頂部の内側部分で前記陥凹部側を向く対向面を形成するハンドピースと、
少なくとも一部が前記周囲立上り部を通って前記陥凹部内へと延びるように構成された切断器具と、
前記ハンドピースに作動的に連結されたガイドトラックであって、当該ガイドトラックと関連する前記切断器具の一部を拘束して、所定経路に沿って動くように構成されるとともに、前記切断器具の先端部を、前記陥凹部内において、前記ハンドピースの前記頂部とほぼ平行な面内で、且つ前記所定経路によって画定される所定の形状の領域内で協働して動かすようにする、ガイドトラックと、
を備え、
前記ハンドピースの頂部は高さ調整が可能であり、調整をすることで、前記ハンドピースの頂部の内側と周囲立上り部の底端部との間の距離、及び陥凹部の容積を変更することができ、
前記ハンドピースの頂部は、前記周囲立上り部の立ち上がり壁に対し、ねじ込み嵌合部によって作動的に連結されるとともに、前記ハンドピースの頂部が前記周囲立上り壁の上で回転可能であり、前記周囲立上り壁に対する前記頂部の回転により、前記陥凹部の容積が調整される、低侵襲性皮膚治療装置。
【請求項１０】
外壁の上端部と内壁の上端部の間に配置される上縁部と、
前記内壁の底端部に配置され、その外縁が前記内壁の底端部によって画定される陥凹面と、
第１基準マーク及び第２基準マークであって、前記第１基準マークが、前記第２基準マークから所定の回転距離をおいて配置されることで、前記回転距離が、前記ねじ込み嵌合部に沿った所定の垂直距離に対応する、第１基準マーク及び第２基準マークと、
を備えている、請求項９に記載の低侵襲性皮膚治療装置。
【請求項１１】
前記ハンドピースの頂部と前記ハンドピースの立ち上がり壁との間に配置されるＯリングをさらに備えている、請求項９に記載の低侵襲性皮膚治療装置。
【請求項１２】
エラストマー隔壁をさらに備え、当該エラストマー隔壁は、前記切断器具が貫通できるように構成され、前記切断器具が引き抜かれるとほぼ自動的にシールされるように構成され、これによって、前記陥凹部に真空状態を作り出したときには、当該陥凹部からの真空漏れをほぼ防ぐように構成されている、請求項１に記載の低侵襲性皮膚治療装置。
【請求項１３】
前記頂部及び周囲立ち上がり部の一方と作動的に接続され、且つ前記陥凹部と流体接続されている真空用取付具をさらに備えている、請求項１に記載の低侵襲性皮膚治療装置。
【請求項１４】
前記真空用取付具と流体連結されている真空ポンプをさらに備え、
当該真空ポンプは、前記陥凹部が組織の上に位置した時に、前記陥凹部内で吸引力を発生させて、組織を前記対向面に接触させるように確実に吸い上げるように構成されている、請求項１３に記載の低侵襲性皮膚治療装置。
【請求項１５】
組織治療システムであって、
対象組織が位置する治療領域を画定する空間を有するハンドピースであって、当該空間が、周辺組織に対し前記治療領域内の対象組織を引き上げるように構成されている、ハンドピースと、
前記ハンドピースに動作可能に接続される器具であって、前記空間の穴を通して当該器具の先端部を延ばすことで、当該器具の先端部を、前記対象組織の治療のために前記対象領域に配置可能である、器具と、
前記器具の周囲からの漏れを最小限にするために前記穴に配置された弾力のある密閉剤と、
前記ハンドピースに作動的に連結されたガイドトラックであって、所定の領域内で動作するように前記器具の一部を拘束することで、前記器具の先端部を、前記治療領域内の所定の形状の皮下領域内で動作させる、ガイドトラックと、
を備えている、組織治療システム。
【請求項１６】
前記空間は対向面を有し、前記対象組織は、前記対向面と接するように引き上げられる、請求項１５に記載の組織治療システム。
【請求項１７】
前記器具は、前記治療領域の対象組織を治療するために、前記対向面と平行な面に沿って移動する、請求項１６に記載の組織治療システム。
【請求項１８】
前記器具にガイドピンが取り付けられ、当該ガイドピンは、前記ガイドトラックに係合するように構成されることで、所定の領域内で移動するように拘束される、請求項１５に記載の組織治療システム。
【請求項１９】
前記ガイドトラックは、パターンを形成する１または複数の溝を有しており、前記器具は前記パターン内で移動するように拘束される、請求項１５に記載の組織治療システム。
【請求項２０】
前記器具の先端部は組織切断装置を備えている、請求項１５に記載の組織治療システム。
【請求項２１】
前記組織切断装置は、ブレードを備えている、請求項２０に記載の組織治療システム。
【請求項２２】
前記切断装置に往復動をさせる前記器具に取り付けられるモータ制御モジュールをさらに備えている、請求項２０に記載の組織治療システム。
【請求項２３】
前記器具の先端部は、エネルギー照射部を備えている、請求項１５に記載の組織治療システム。
【請求項２４】
前記エネルギー照射部は、高周波電極を備えている、請求項２３に記載の組織治療システム。
【請求項２５】
前記器具の先端部は、レーザーを備えている、請求項１５に記載の組織治療システム。
【請求項２６】
前記空間は、前記対向面に対して前記器具の先端の深さを調整するために、凹面と凸部を有するリバーシブル式の蓋を備えている、請求項１６に記載の組織治療システム。
【請求項２７】
空間と対向面とを備えたハンドピースであって、前記空間は、対象組織が位置する治療領域を画定するとともに介入器具を受け入れるように構成され、これによって前記器具の先端部が前記治療領域に配置可能となっており、前記空間は、周辺組織に対して前記治療領域の対向面と接触するように前記対象組織を引き上げるように前記空間を吸引する真空限に接続されるように構成された真空ポートを有し、前記空間が、前記器具を受け入れる穴をさらに有している、ハンドピースと、
前記器具の周囲からの漏れを最小限にするために前記穴に配置可能な弾力のある密閉剤と、
前記ハンドピースに作動的に接続されたガイドトラックと、
前記ガイドトラックに前記介入器具を移動可能に接続するように構成された構造であって、前記ガイドトラックは、前記介入器具の一部が所定の領域内を移動するように拘束するように構成され、これによって、前記介入器具の先端部が前記治療領域内の所定の形状の皮下領域内で移動する、構造と、
を備えている、組織治療システム。
【請求項２８】
前記器具は、前記治療領域の対象組織を治療するために、前記対向面にほぼ平行な面に沿って移動する、請求項２７に記載の組織治療システム。
【請求項２９】
前記構造は、ガイドピンを備え、当該ガイドピンは、前記器具が所定の領域内を移動するように拘束されるように、前記ガイドトラックに係合するように構成されている、請求項２７に記載の組織治療システム。
【請求項３０】
前記器具の先端は、組織切断装置を備えている、請求項２７に記載の組織治療システム。
【請求項３１】
前記ガイドトラックは、前記治療領域において、セルライトの治療を行うためのパターンを画定する１またはそれ以上の溝を備えている、請求項２７に記載の組織治療システム。
【請求項３２】
前記器具は、前記治療領域の対象組織を治療するために、前記対向面にほぼ平行な面に沿って移動するように拘束されている、請求項２７に記載の組織治療システム。